(57)【要約】【課題】チャンネル変更のためのＩＰＴＶサービス方法および装置を提供する。【解決手段】ＩＰＴＶサービス方法は、ネットワークのスイッチにチャンネル変更を要請するステップと、要請に相応してスイッチから変更するチャンネルの放送ストリームを受信するステップと、受信された放送ストリームのうちから表示装置が支援する最大解像度に相応する放送コンテンツを優先してデコーディングするステップと、デコーディングされた放送コンテンツを表示装置に送信するステップとを含む。【選択図】図５
2010148092.tif 000002
【特許請求の範囲】
【請求項１】
ネットワークのスイッチにチャンネル変更を要請するステップと、
前記要請に相応して前記スイッチから変更するチャンネルの放送ストリームを受信するステップと、
前記受信された放送ストリームのうちから表示装置が支援する最大解像度に相応する放送コンテンツを優先してデコーディングするステップと、
前記デコーディングされた放送コンテンツを前記表示装置に送信するステップと、
を含むことを特徴とするＩＰＴＶサービス方法。
【請求項２】
チャンネル変更を要請する前記ステップは、
ユーザからチャンネル変更要請信号を受信するステップと、
前記受信されたチャンネル変更要請信号に応答してＩＧＭＰ  ｊｏｉｎメッセージを生成するステップと、
前記生成されたＩＧＭＰ  ｊｏｉｎメッセージを前記スイッチに送信してチャンネル変更を要請するステップと、
を含むことを特徴とする請求項１に記載のＩＰＴＶサービス方法。
【請求項３】
前記ＩＧＭＰ  ｊｏｉｎメッセージを生成する前記ステップは、
前記最大解像度を確認するステップと、
前記最大解像度を反映して前記ＩＧＭＰ  ｊｏｉｎメッセージを生成するステップと、
を含むことを特徴とする請求項２に記載のＩＰＴＶサービス方法。
【請求項４】
前記最大解像度を反映して前記ＩＧＭＰ  ｊｏｉｎメッセージを生成する前記ステップは、
前記最大解像度に対応する解像度識別子を決定するステップと、
前記決定された解像度識別子を前記ＩＧＭＰ  ｊｏｉｎメッセージの未使用フィールドに記録して前記ＩＧＭＰ  ｊｏｉｎメッセージを生成するステップと、
を含むことを特徴とする請求項３に記載のＩＰＴＶサービス方法。
【請求項５】
前記チャンネル変更を要請する前記ステップは、
前記生成されたＩＧＭＰ  ｊｏｉｎメッセージを格納するステップ、
をさらに含むことを特徴とする請求項２に記載のＩＰＴＶサービス方法。
【請求項６】
前記放送コンテンツを優先してデコーディングする前記ステップは、
前記放送ストリームに含まれた少なくとも１つ以上の放送コンテンツに対する少なくとも１つ以上の解像度情報を確認するステップと、
前記少なくとも１つ以上の解像度情報のうちから前記最大解像度に対応する解像度情報を有する前記放送コンテンツを決定するステップと、
前記決定された放送コンテンツを優先してデコーディングするステップと、
を含むことを特徴とする請求項１に記載のＩＰＴＶサービス方法。
【請求項７】
前記受信された放送ストリームのうちから前記放送コンテンツを除いた残りの少なくとも１つ以上の放送コンテンツをデコーディングするステップ、
をさらに含むことを特徴とする請求項１に記載のＩＰＴＶサービス方法。
【請求項８】
残りの少なくとも１つ以上の放送コンテンツをデコーディングする前記ステップは、
前記残り少なくとも１つ以上の放送コンテンツに対する解像度情報を確認するステップと、
前記確認された解像度情報に基づいて、前記残りの少なくとも１つ以上の放送コンテンツに対するデコーディング順序を決定するステップと、
前記決定された順序に基づいて、前記残りの少なくとも１つ以上の放送コンテンツをデコーディングするステップと、
を含むことを特徴とする請求項７に記載のＩＰＴＶサービス方法。
【請求項９】
前記残りの少なくとも１つ以上の放送コンテンツに対するデコーディング順序を決定する前記ステップは、
前記確認された解像度情報に基づいて、解像度が高い順に前記残りの少なくとも１つ以上の放送コンテンツに対するデコーディング順序を決定するステップ、
を含むことを特徴とする請求項８に記載のＩＰＴＶサービス方法。
【請求項１０】
第１放送チャンネルの第１放送ストリームに含まれた第１放送コンテンツをデコーディングして表示装置に送信するステップと、
ユーザから受信されるチャンネル変更要請信号に基づいて、ネットワークのスイッチに第２放送チャンネルへのチャンネル変更を要請するステップと、
前記要請に相応して前記スイッチから前記第２放送チャンネルの第２放送ストリームを受信するステップと、
前記受信された第２放送ストリームのうちから前記第１放送コンテンツの解像度に対応する第２放送コンテンツを優先してデコーディングするステップと、
前記デコーディングされた第２放送コンテンツを前記表示装置に伝達するステップと、
を含むことを特徴とするＩＰＴＶサービス方法。
【請求項１１】
前記第１放送コンテンツに対する第１解像度情報を格納するステップ、
をさらに含み、
前記第２放送コンテンツを優先してデコーディングする前記ステップは、
前記受信された第２放送ストリームに含まれた少なくとも１つ以上の放送コンテンツの第２解像度情報を確認するステップと、
前記確認された第２解像度情報に基づいて、前記少なくとも１つ以上の放送コンテンツのうちから前記格納された第１解像度情報に相応する前記第２放送コンテンツを決定するステップと、
前記決定された第２放送コンテンツを優先してデコーディングするステップと、
を含むことを特徴とする請求項１０に記載のＩＰＴＶサービス方法。
【請求項１２】
前記第２放送チャンネルへのチャンネル変更を要請する前記ステップは、
前記受信されたチャンネル変更要請信号に応答してＩＧＭＰ  ｊｏｉｎメッセージを生成するステップと、
前記生成されたＩＧＭＰ  ｊｏｉｎメッセージをネットワークのスイッチに送信するステップと、
を含むことを特徴とする請求項１０に記載のＩＰＴＶサービス方法。
【請求項１３】
前記ＩＧＭＰ  ｊｏｉｎメッセージを生成する前記ステップは、
前記第１解像度情報を反映して前記ＩＧＭＰ  ｊｏｉｎメッセージを生成するステップ、
を含むことを特徴とする請求項１２に記載のＩＰＴＶサービス方法。
【請求項１４】
前記ＩＧＭＰ  ｊｏｉｎメッセージを生成する前記ステップは、
前記第１解像度情報に対応する解像度識別子を決定するステップと、
前記決定された解像度識別子を前記ＩＧＭＰ  ｊｏｉｎメッセージの未使用フィールドに記録して前記ＩＧＭＰ  ｊｏｉｎメッセージを生成するステップと、
をさらに含むことを特徴とする請求項１３に記載のＩＰＴＶサービス方法。
【請求項１５】
請求項１から１４のうちのいずれか一項の方法を実行させるためのプログラムを記録したコンピュータ読み取り可能な記録媒体。
【請求項１６】
ネットワークのスイッチにチャンネル変更を要請するチャンネル変更要請処理部と、
前記要請に相応して前記スイッチから変更するチャンネルの放送ストリームを受信する放送ストリーム受信部と、
前記受信された放送ストリームのうちから表示装置が支援する最大解像度に相応する放送コンテンツを優先してデコーディングするデコーディング処理部と、
前記デコーディングされた放送コンテンツを前記表示装置に送信する放送コンテンツ送信部と、
を備えることを特徴とするＩＰＴＶサービス装置。
【請求項１７】
前記チャンネル変更要請処理部は、
受信されたチャンネル変更要請信号に応答してＩＧＭＰ  ｊｏｉｎメッセージを生成し、前記生成されたＩＧＭＰ  ｊｏｉｎメッセージを前記スイッチに送信してチャンネル変更を要請することを特徴とする請求項１６に記載のＩＰＴＶサービス装置。
【請求項１８】
前記チャンネル変更要請処理部は、
前記最大解像度を確認し、前記最大解像度を反映して前記ＩＧＭＰ  ｊｏｉｎメッセージを生成することを特徴とする請求項１７に記載のＩＰＴＶサービス装置。
【請求項１９】
前記チャンネル変更要請処理部は、
前記最大解像度に対応する解像度識別子を決定し、前記決定された解像度識別子を前記ＩＧＭＰ  ｊｏｉｎメッセージの未使用フィールドに記録して前記ＩＧＭＰ  ｊｏｉｎメッセージを生成することを特徴とする請求項１８に記載のＩＰＴＶサービス装置。
【請求項２０】
前記デコーディング処理部は、前記受信された放送ストリームに含まれた少なくとも１つ以上の放送コンテンツに対する少なくとも１つ以上の解像度情報を確認し、前記確認された少なくとも１つ以上の解像度情報を参照し、前記解像度識別子に対応する放送コンテンツを優先してデコーディングすることを特徴とする請求項１９に記載のＩＰＴＶサービス装置。
【発明の詳細な説明】
【技術分野】
【０００１】
本発明は、ＩＰＴＶ（Ｉｎｔｅｒｎｅｔ  Ｐｒｏｔｏｃｏｌ  ＴＶ）のサービスに関し、より詳細には、変更されるチャンネルの放送コンテンツのうちから最大解像度の放送コンテンツを優先的にデコーディングして表示装置に表示することで、チャンネル変更によって発生する時間遅延を最小化できるようにするサービスに関する。
【０００２】
本発明は、知識経済部および情報通信研究振興院のＩＴ成長動力技術開発事業の一環として実行した研究から導き出されたものである［課題管理番号：２００８−Ｓ−００５−０１、課題名：ＨＦＣ網におけるＩＰ基盤の超高速マルチメディア送信技術開発］。
【背景技術】
【０００３】
ＩＰＴＶは、超高速インターネット網を介してプログラム提供者がユーザの要請する放送ストリームを伝達し、伝達された放送ストリームをＩＰセットトップボックス（Ｓｅｔ−Ｔｏｐ  Ｂｏｘ）のような装備を用いて所望するチャンネルを視聴する通信放送融合サービスである。
【０００４】
一般的なＩＰＴＶシステムは、放送サーバ、ネットワーク、および多数のＩＰセットトップボックスを備えている。このようなシステムにおいて、放送ストリームは、放送サーバにてＩＰフレーム形態で生成される。生成されたフレームは、ネットワークを介して多数のＩＰセットトップボックスに伝達される。このとき、ネットワークは、ルータのようなＬ（ｌａｙｅｒ）３装備とスイッチのようなＬ２装備とで構成され、ルータ間にはマルチキャストフレームを所望する目的地に伝達するためにマルチキャストルーティングプロトコルが動作する。
【０００５】
一般的なＩＰＴＶシステムにおいて、特定チャンネルの放送ストリームを受信していたＩＰセットトップボックスが他のチャンネルに変更するためにチャンネル変更を要請する場合、チャンネル変更要請は、ＩＧＭＰ  ｊｏｉｎメッセージ形態でＬ２スイッチを介してＬ３ルータに伝達される。もし、該当チャンネルのフレームがこのルータに伝達されている状態であれば、このチャンネルのフレームを要請したＬ２スイッチに伝達すれば良い。しかしながら、このルータに該当チャンネルのフレームが伝達されていない場合、このルータはマルチキャストルーティングプロトコルを用いて該当チャンネルの放送ストリームを要請する。この後、放送ストリームがこのルータに伝達されれば、これをこのチャンネルのフレームを要請したＬ２スイッチに伝達する。
【０００６】
上述したような方式における問題点は、ユーザがチャンネル変更を要請した後に要請したチャンネルを視聴するまでの時間、すなわちチャンネル変更遅延が大きくなるという点である。現在のＳＤおよびＨＤ放送ストリームに対しても大きい遅延時間が発生するため、相対的に後に提供される高品質の３ＤＴＶやＵＤ（ｕｌｔｒａ  ｄｅｆｉｎｉｔｉｏｎ）ＴＶなどより一層データ率の高い高品質のコンテンツを提供するサービスに対するチャンネル変更遅延はさらに大きくなる。
【発明の概要】
【発明が解決しようとする課題】
【０００７】
本発明は、上述した問題点を解決するために案出されたものであって、ＩＰＴＶサービス装置を用いることで、チャンネル変更のための遅延時間を減らすことができるだけでなく、最大解像度の放送コンテンツが優先的に選択されるようにすることで、ユーザの便宜を図ることができるようにすることを目的とする。
【課題を解決するための手段】
【０００８】
上述した目的を達成するために、本発明の一実施形態に係るＩＰＴＶサービス方法は、ネットワークのスイッチにチャンネル変更を要請するステップと、前記要請に相応して前記スイッチから変更するチャンネルの放送ストリームを受信するステップと、前記受信された放送ストリームのうちから表示装置が支援する最大解像度に相応する放送コンテンツを優先してデコーディングするステップと、前記デコーディングされた放送コンテンツを前記表示装置に送信するステップとを含む。
【０００９】
本発明の他の一実施形態に係るＩＰＴＶサービス方法は、第１放送チャンネルの第１放送ストリームに含まれた第１放送コンテンツをデコーディングして表示装置に送信するステップと、ユーザから受信されるチャンネル変更要請信号に基づいて、ネットワークのスイッチに第２放送チャンネルへのチャンネル変更を要請するステップと、前記要請に相応して前記スイッチから前記第２放送チャンネルの第２放送ストリームを受信するステップと、前記受信された第２放送ストリームのうちから前記第１放送コンテンツの解像度に対応する第２放送コンテンツを優先してデコーディングするステップと、前記デコーディングされた第２放送コンテンツを前記表示装置に伝達するステップとを含む。
【００１０】
本発明の一実施形態に係るＩＰＴＶサービス装置は、ネットワークのスイッチにチャンネル変更を要請し、前記要請に相応して前記スイッチから変更するチャンネルの放送ストリームを受信するインターフェース部と、前記受信された放送ストリームのうちから表示装置が支援する最大解像度に相応する放送コンテンツを選択する選択部と、前記選択された放送コンテンツを優先して、前記受信された放送ストリームに含まれた少なくとも１つ以上の放送コンテンツのデコーディング順序を決定する順序決定部と、前記決定された順序に相応して前記少なくとも１つ以上の放送コンテンツをデコーディングするデコーディング部とを備える。
【発明の効果】
【００１１】
本発明に係るＩＰＴＶサービス装置を用いれば、チャンネル変更のための遅延時間を減らすことができるだけでなく、最大解像度の放送コンテンツが優先的に選択されるようにすることで、ユーザの便宜を図ることができるという効果がある。
【図面の簡単な説明】
【００１２】
【図１】本発明の一実施形態に係るＩＰＴＶサービス方法を説明するためのフローチャートである。
【図２】本発明の一実施形態に係るチャンネル変更を要請する方法を説明するためのフローチャートである。
【図３】本発明の一実施形態に係るＩＧＭＰメッセージのフォーマットを説明するための図である。
【図４】本発明の他の一実施形態に係るＩＰＴＶサービス方法を説明するためのフローチャートである。
【図５】本発明の一実施形態に係るＩＰＴＶサービス装置を説明するためのブロック図である。
【発明を実施するための形態】
【００１３】
以下、本発明に係る好ましい実施形態について、添付の図面を参照しながら詳細に説明する。
【００１４】
図１は、本発明の一実施形態に係るＩＰＴＶサービス方法を説明するためのフローチャートである。
【００１５】
図１を参照すれば、本発明の一実施形態に係るＩＰＴＶサービス方法は、ネットワークのスイッチにチャンネル変更を要請することができる（Ｓ１０１）。
【００１６】
本発明の一実施形態に係るＩＰＴＶサービス方法が適用されたセットトップボックスは、通常、テレビなどの表示装置と共に構成され、多様な経路、例えばＩＰネットワーク（ＩＰ  ｎｅｔｗｏｒｋ）や衛星などを介して送信される多チャンネルの多様な放送コンテンツとプログラム案内情報を受信してユーザに提供する。
【００１７】
このとき、ＩＰネットワークを介して送信されるデジタルの放送コンテンツを受信するセットトップボックスをＩＰセットトップボックスとし、衛星を介して送信されるデジタル放送データを受信するセットトップボックスを衛星セットトップボックスとして区分することができる。
【００１８】
特定放送コンテンツ（ＩＰＴＶ放送）を視聴するユーザがリモコンなどを操作してチャンネル変更を要請すれば、該当セットトップボックスがネットワークのスイッチを介してマルチキャストルータにチャンネルの変更を要請する。
【００１９】
以下、説明の便宜のために、チャンネル変更の要請を最初に受信するスイッチにチャンネル変更を要請するものとして説明するが、実質的にはスイッチを経由してマルチキャストルータにチャンネル変更が要請されるものと解釈されなければならない。
【００２０】
本発明の一実施形態に係るＩＰＴＶサービス方法が適用されたセットトップボックスは、チャンネル変更を要請するために、ネットワークのスイッチに以前チャンネル（ｃｈａｎｎｅｌ）に対する放棄メッセージを送信した後、新たなチャンネルを要請するメッセージを送信することができる。
【００２１】
ステップ１０１は、ネットワークのスイッチにチャンネル変更要請することに対するものであり、これは図２を参照しながらより具体的に説明する。
【００２２】
図２は、本発明の一実施形態に係るチャンネル変更を要請する方法を説明するためのフローチャートである。
【００２３】
本発明の一実施形態に係るＩＰＴＶサービス方法は、ユーザからチャンネル変更要請信号を受信する（Ｓ２０１）。
【００２４】
例えば、セットトップボックスは、表示装置を介して表示される放送コンテンツを視聴するユーザの心変わりに応じてチャンネル変更要請信号を受信することができる。このとき、ユーザは、セットトップボックスのリモコンなどのボタンをプッシュ（ＰＵＳＨ）することで、チャンネル変更要請信号を生成することができる。
【００２５】
次に、ＩＰＴＶサービス方法は、受信されたチャンネル変更要請信号に応答してＩＧＭＰ  ｊｏｉｎメッセージ（Ｉｎｔｅｒｎｅｔ  Ｇｒｏｕｐ  Ｍａｎａｇｅｍｅｎｔ  Ｐｒｏｔｏｃｏｌ  ｊｏｉｎ  ｍｅｓｓａｇｅ）を生成する（Ｓ２０２）。また、ＩＰＴＶサービス方法は、生成されたＩＧＭＰ  ｊｏｉｎメッセージをスイッチに送信してチャンネル変更を要請する（Ｓ２０３）。
【００２６】
例えば、ＩＰＴＶサービス方法は、表示装置が支援する最大解像度を確認し、確認された最大解像度を反映してＩＧＭＰ  ｊｏｉｎメッセージを生成することができる。最大解像度は、表示装置で表現が可能な放送コンテンツのサービスに対応することができ、例えばＳＤ（Ｓｔａｎｄａｒｄ  ｄｅｆｉｎｉｔｉｏｎ）、ＨＤ（ｈｉｇｈ  ｄｅｆｉｎｉｔｉｏｎ）、ＵＤ（ｕｌｔｒａ  ｄｅｆｉｎｉｔｉｏｎ）、３Ｄなどとして解釈することができる。
【００２７】
本発明の一実施形態に係るＩＰＴＶサービス方法は、チャンネル変更の要請時に以前チャンネルに対する放棄メッセージを送信した後、新たなチャンネルに対するチャンネル要請メッセージを送信しなければならない。このとき、以前チャンネルに対する放棄メッセージとしてＩＧＭＰ  ｌｅａｖｅメッセージ（Ｉｎｔｅｒｎｅｔ  Ｇｒｏｕｐ  Ｍａｎａｇｅｍｅｎｔ  Ｐｒｏｔｏｃｏｌ  ｌｅａｖｅ  ｍｅｓｓａｇｅ）を送信し、新たなチャンネルに対するチャンネル要請メッセージとしてＩＧＭＰ  ｊｏｉｎメッセージを送信する。ＩＧＭＰ  ｌｅａｖｅメッセージとＩＧＭＰ  ｊｏｉｎメッセージとを含むＩＧＭＰメッセージは、タイプフィールドに格納された値によってメッセージの種類が決定されるが、基本的なフォーマットは等しい。
【００２８】
本発明の一実施形態に係るＩＧＭＰメッセージについては、図３を参照しながら詳しく説明する。
【００２９】
図３は、本発明の一実施形態に係るＩＧＭＰメッセージのフォーマットを説明するための図である。
【００３０】
図３を参照すれば、ＩＧＭＰメッセージ３００は、タイプフィールド（Ｔｙｐｅ  ｆｉｅｌｄ）３１０と、未使用フィールド（ｕｎｕｓｅｄ  ｆｉｅｌｄ）３２０と、チェックサムフィールド（ｃｈｅｃｋｓｕｍ  ｆｉｅｌｄ）３３０とを基本的に含んでいる。
【００３１】
チャンネル情報フィールドをさらに含み、チャンネル情報フィールドが変更前のチャンネルを知らせる以前チャンネル情報フィールド３４０として用いられる場合、ＩＧＭＰメッセージ３００はＩＧＭＰ  ｌｅａｖｅメッセージとして用いられる。また、チャンネル情報フィールドが変更するチャンネルを知らせる変更チャンネル情報フィールド３５０として用いられる場合、ＩＧＭＰメッセージ３００はＩＧＭＰ  ｊｏｉｎメッセージとして用いられる。
【００３２】
これだけでなく、ＩＧＭＰメッセージ３００が以前チャンネル情報フィールド３４０を含む場合、タイプフィールド３１０のフィールド値は「０×１７」で設定される。ＩＧＭＰメッセージ３００が変更チャンネル情報フィールド３５０を含む場合、タイプフィールド３１０のフィールド値は「０×１６」で設定される。
【００３３】
例えば、ＩＧＭＰメッセージ３００のタイプフィールド３１０のフィールド値が「０×１７」で設定され、以前チャンネル情報フィールド３４０に「ＣＨ１」に対する情報が含まれている場合、ネットワークのマルチキャストルータは、該当セットトップボックスが現在「ＣＨ１」を視聴しているが、すぐにチャンネル変更を要請するものと判断する。続いて、ＩＧＭＰメッセージ３００のタイプフィールド３１０のフィールド値が「０×１６」で設定され、変更チャンネル情報フィールド３５０に「ＣＨ２」に対する情報が含まれている場合、ネットワークのマルチキャストルータは、該当セットトップボックスが「ＣＨ２」にチャンネル変更を要請するものと判断することができる。
【００３４】
本発明の一実施形態に係るＩＧＭＰメッセージ３００は、未使用フィールド３２０に現在の放送コンテンツを受信し、続いてチャンネル変更される放送コンテンツを受信する表示装置の仕様情報を含む。例えば、未使用フィールド３２０は、表示装置が表示することができる最大解像度に対する情報を含むことができる。具体的に、表示装置が３Ｄ解像度の放送コンテンツを表示することができる場合、未使用フィールド３２０は「０００００１００」を含むことができる。また、ＳＤ解像度の放送コンテンツを表示することができる場合、未使用フィールド３２０は「００００００１」を含むことができ、ＨＤ解像度の放送コンテンツを表示することができれば、未使用フィールド３２０が「００００００１０」を含むことができる。
【００３５】
すなわち、本発明の一実施形態に係るＩＰＴＶサービス方法は、最大解像度を反映してＩＧＭＰ  ｊｏｉｎメッセージを生成し、最大解像度に対応する解像度識別子を決定してＩＧＭＰ  ｊｏｉｎメッセージの未使用フィールドに記録することで、ＩＧＭＰ  ｊｏｉｎメッセージを生成することができる。
【００３６】
これだけでなく、本発明の一実施形態に係るＩＰＴＶサービス方法は、ＩＧＭＰ  ｊｏｉｎメッセージを生成する過程において、生成されたＩＧＭＰ  ｊｏｉｎメッセージを格納媒体に格納することもできる。
【００３７】
チェックサムフィールド３３０は、ＩＧＭＰメッセージ３００の通常のエラーを検出することに用いることができる。
【００３８】
再び図１を参照すれば、本発明の一実施形態に係るＩＰＴＶサービス方法は、要請に相応してスイッチから変更するチャンネルの放送ストリームを受信する（Ｓ１０２）。
【００３９】
放送ストリームには、解像度別に等しい放送コンテンツが含まれる。すなわち、等しい放送コンテンツをＳＤ解像度、ＨＤ解像度、ＵＤ解像度、および３Ｄ解像度などの形態で含むことができる。これは、使用化されたＩＰＴＶが同じ会社ですべて同じ時期に同じ技術で生成されたものではないため、一時的にコンテンツプロバイダが提供する。
【００４０】
本発明の一実施形態に係るＩＰＴＶサービス方法は、受信された放送ストリームのうちから表示装置が支援する最大解像度に相応する放送コンテンツを優先してデコーディングすることができる（Ｓ１０３）。
【００４１】
このために、本発明の一実施形態に係るＩＰＴＶサービス方法は、まず、放送ストリームに含まれた少なくとも１つ以上の放送コンテンツに対する少なくとも１つ以上の解像度情報を確認する。次に、少なくとも１つ以上の解像度情報のうちから最大解像度に対応する解像度情報を有する放送コンテンツを決定し、決定された放送コンテンツを優先してデコーディングする。このとき、ＩＰＴＶサービス方法は、チャンネル変更を要請するときに用いたＩＧＭＰ  ｊｏｉｎメッセージに含まれた未使用フィールドを確認し、表示装置が表示することができる最大解像度を確認する。このために、ＩＧＭＰ  ｊｏｉｎメッセージは、格納媒体に記録されたりバッファなどに一時記録されたりすることができる。
【００４２】
本発明の一実施形態に係るＩＰＴＶサービス方法は、デコーディングされた放送コンテンツを表示装置に送信することができる（Ｓ１０４）。
【００４３】
本発明の一実施形態に係るＩＰＴＶサービス方法は、所望する解像度の放送コンテンツを優先的にデコーディングして表示装置に送信したとすれば、受信された放送ストリームのうちからこの放送コンテンツを除いた残りの少なくとも１つ以上の放送コンテンツをデコーディングする。このときにも、ＩＰＴＶサービス方法は、残りの少なくとも１つ以上の放送コンテンツに対する解像度情報を確認し、確認された解像度情報に基づいて残りの少なくとも１つ以上の放送コンテンツに対するデコーディング順序を決定する。本発明の一実施形態によれば、ＩＰＴＶサービス方法は、確認された解像度情報に基づいて、解像度が高い順に残りの少なくとも１つ以上の放送コンテンツに対するデコーディング順序を決定することができる。
【００４４】
次に、ＩＰＴＶサービス方法は、決定された順序に基づいて残りの少なくとも１つ以上の放送コンテンツをデコーディングし、デコーディングされたコンテンツを表示装置に送信する。
【００４５】
結局、本発明の一実施形態に係るＩＰＴＶサービス方法を用いれば、チャンネル変更のための遅延時間を減らすことができる。さらに、これだけではなく、最大解像度の放送コンテンツが優先的に選択されるようにすることで、ユーザの便宜を図ることができる。
【００４６】
図４は、本発明の他の一実施形態に係るＩＰＴＶサービス方法を説明するためのフローチャートである。
【００４７】
まず、本発明の他の一実施形態に係るＩＰＴＶサービス方法は、第１放送チャンネルの第１放送ストリームに含まれた第１放送コンテンツをデコーディングして表示装置に送信する（Ｓ４０１）。このとき、ユーザは、以前の放送チャンネルを介して変更前の放送コンテンツを視聴する。
【００４８】
次に、ＩＰＴＶサービス方法は、ユーザからチャンネル変更要請信号を受信し、チャンネル変更要請信号に基づいてネットワークのスイッチに第２放送チャンネルへのチャンネル変更を要請する（Ｓ４０２）。
【００４９】
また、ＩＰＴＶサービス方法は、要請に相応してスイッチから第２放送チャンネルの第２放送ストリームを受信する（Ｓ４０３）。
【００５０】
ＩＰＴＶサービス方法は、受信された第２放送ストリームのうちから第１放送コンテンツの解像度に対応する第２放送コンテンツを優先してデコーディングする（Ｓ４０４）。
【００５１】
このため、本発明の一実施形態に係るＩＰＴＶサービス方法は、第１放送コンテンツを表示する表示装置が支援する最大解像度を予め認知している。
【００５２】
例えば、本発明の一実施形態に係るＩＰＴＶサービス方法は、ネットワークのスイッチに第２放送チャンネルへのチャンネル変更を要請する前に、第１放送コンテンツに対する第１解像度情報を格納する。以前に表示装置に送信される第１コンテンツが表示装置が支援する解像度のコンテンツであると仮定すれば、ＩＰＴＶサービス方法は、表示装置の最大解像度として第１解像度情報を格納する。
【００５３】
これに基づいて、ステップＳ４０４は、受信された第２放送ストリームに含まれた少なくとも１つ以上の放送コンテンツの第２解像度情報を確認し、確認された第２解像度情報に基づいて、少なくとも１つ以上の放送コンテンツのうちから格納された第１解像度情報に相応する第２放送コンテンツを決定することができる。すなわち、以前にデコーディング順序に基づいてチャンネル変更する放送ストリーム内の放送コンテンツのデコーディング順序を決定することができる。
【００５４】
最後に、ＩＰＴＶサービス方法は、デコーディングされた第２放送コンテンツを表示装置に伝達する（Ｓ４０５）。
【００５５】
本発明の一実施形態に係るＩＰＴＶサービス方法は、第２放送チャンネルへのチャンネル変更のために、受信されたチャンネル変更要請信号に応答してＩＧＭＰ  ｊｏｉｎメッセージを生成し、生成されたＩＧＭＰ  ｊｏｉｎメッセージをネットワークのスイッチに送信する。
【００５６】
具体的に、ＩＰＴＶサービス方法は、ＩＧＭＰ  ｊｏｉｎメッセージを生成するために、第１解像度情報を反映してＩＧＭＰ  ｊｏｉｎメッセージを生成することができる。
【００５７】
すなわち、第１解像度情報に対応する解像度識別子を決定し、決定された解像度識別子をＩＧＭＰ  ｊｏｉｎメッセージの未使用フィールドに記録してＩＧＭＰ  ｊｏｉｎメッセージを生成することもできる。
【００５８】
図５は、本発明の一実施形態に係るＩＰＴＶサービス装置を説明するためのブロック図である。
【００５９】
本発明の一実施形態に係るＩＰＴＶサービス装置５００は、セットトップボックスとして解釈することができ、セットトップボックス内の一部ハードウェアとして解釈することもできる。
【００６０】
本発明の一実施形態に係るＩＰＴＶサービス装置５００は、チャンネル変更要請処理部５１０と、放送ストリーム受信部５２０と、デコーディング処理部５３０と、放送コンテンツ送信部５４０とを備えることができる。
【００６１】
チャンネル変更要請処理部５１０は、ネットワークのスイッチにチャンネル変更を要請する。
【００６２】
また、放送ストリーム受信部５２０は、要請に相応してスイッチから変更するチャンネルの放送ストリームを受信し、デコーディング処理部５３０は、受信された放送ストリームのうちから表示装置が支援する最大解像度に相応する放送コンテンツを優先してデコーディングする。これにより、放送コンテンツ送信部５４０は、デコーディングされた放送コンテンツを表示装置に送信する。
【００６３】
具体的な例として、チャンネル変更要請処理部５１０は、受信されたチャンネル変更要請信号に応答してＩＧＭＰ  ｊｏｉｎメッセージを生成し、生成されたＩＧＭＰ  ｊｏｉｎメッセージをスイッチに送信してチャンネル変更を要請する。
【００６４】
本発明の一実施形態に係るＩＰＴＶサービス装置５００は、ユーザからチャンネル変更要請信号を受信することができる。
【００６５】
このとき、チャンネル変更要請処理部５１０は、表示装置が支援する最大解像度を確認し、最大解像度を反映してＩＧＭＰ  ｊｏｉｎメッセージを生成することができる。
【００６６】
具体的に、チャンネル変更要請処理部５１０は、最大解像度に対応する解像度識別子を決定し、決定された解像度識別子をＩＧＭＰ  ｊｏｉｎメッセージの未使用フィールドに記録してＩＧＭＰ  ｊｏｉｎメッセージを生成することができる。
【００６７】
本発明の一実施形態に係るデコーディング処理部５３０は、受信された放送ストリームに含まれた少なくとも１つ以上の放送コンテンツに対する少なくとも１つ以上の解像度情報を確認する。これにより、デコーディング処理部５３０は、確認された少なくとも１つ以上の解像度情報を参照し、解像度識別子に対応する放送コンテンツを優先してデコーディングすることができる。
【００６８】
なお、本発明に係るＩＰＴＶサービス方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００６９】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００７０】
５００：ＩＰＴＶサービス装置
５１０：チャンネル変更要請処理部
５２０：放送ストリーム受信部
５３０：デコーディング処理部
５４０：放送コンテンツ送信部
【図１】
2010148092.tif 000003
【図２】
2010148092.tif 000004
【図３】
2010148092.tif 000005
【図４】
2010148092.tif 000006
【図５】
2010148092.tif 000007